(57)【要約】      （修正有）【課題】静電気防止機能の効率に優れ、信頼性が強化された静電気防止部を有する電子部品を提供する。【解決手段】本発明は、静電気防止部１１０を含み、静電気防止部１１０は、互いに離れて配置された複数の信号電極１１１〜１１４、複数の信号電極１１１〜１１４と隣接するように配置された接地電極１１５、及び複数の信号電極１１１〜１１４のそれぞれの一部及び接地電極１１５の一部を覆うように配置された単一の静電気防止層１１６を含むものである。【選択図】図４
2017168805.tif 000002
【特許請求の範囲】
【請求項１】
静電気防止部を含む電子部品において、
前記静電気防止部は、
互いに離れて配置された複数の信号電極と、
前記複数の信号電極と離れて配置された接地電極と、
前記複数の信号電極のそれぞれの一部及び前記接地電極の一部を覆うように配置された単一の静電気防止層と、を含む、電子部品。
【請求項２】
前記複数の信号電極のそれぞれの一部及び前記接地電極の一部は、前記静電気防止部の中央領域で互いに隣接するように配置され、
前記単一の静電気防止層は、前記中央領域で前記複数の信号電極のそれぞれの一部及び前記接地電極の一部を覆うように配置される、請求項１に記載の電子部品。
【請求項３】
前記接地電極と前記複数の信号電極のそれぞれとの間の電極ギャップは、曲がった形状を有し、
前記曲がった形状の電極ギャップは、前記単一の静電気防止層で満たされる、請求項２に記載の電子部品。
【請求項４】
前記曲がった形状の電極ギャップは「¬」の形状を有する、請求項３に記載の電子部品。
【請求項５】
前記複数の信号電極は第１〜第４信号電極を含み、
前記接地電極は、前記第１及び第２信号電極の間と前記第３及び第４信号電極の間とを横切り、前記第１及び第３信号電極の間に突出した第１突出部と、前記第２及び第４信号電極の間に突出した第２突出部と、を有する、請求項２に記載の電子部品。
【請求項６】
前記第１及び第３信号電極の端部は、前記接地電極の前記第１突出部に向かって曲がった端部を有し、
前記第２及び第４信号電極の端部は、前記接地電極の前記第２突出部に向かって曲がった端部を有する、請求項５に記載の電子部品。
【請求項７】
前記静電気防止部の第１方向への長さに対する前記単一の静電気防止層を除いたマージン領域のそれぞれの第１方向への長さの比が１５〜２５％である、請求項１から６のいずれか一項に記載の電子部品。
【請求項８】
前記静電気防止部の第２方向への幅に対する前記単一の静電気防止層を除いたマージン領域のそれぞれの第２方向への幅の比が１５〜２５％である、請求項１から７のいずれか一項に記載の電子部品。
【請求項９】
前記単一の静電気防止層は導電性粒子及び絶縁物質を含む、請求項１から８のいずれか一項に記載の電子部品。
【請求項１０】
支持部と、
前記支持部の一側に配置され、一つ以上のコイルパターンを含むコイル部と、
前記支持部の他側に配置され、互いに離れて配置された複数の信号電極、前記複数の信号電極と隣接するように配置された接地電極、及び前記複数の信号電極のそれぞれの一部及び前記接地電極の一部を覆うように配置された単一の静電気防止層を含む静電気防止部と、
前記複数の信号電極と連結された複数の外部端子、及び前記接地電極と連結された接地端子を含む端子部と、を含む、電子部品。
【請求項１１】
前記コイル部は、互いに電気的に連結されて直列回路を構成する第１及び第２コイルパターン、及び互いに電気的に連結されて直列回路を構成する第３及び第４コイルパターンを含む、請求項１０に記載の電子部品。
【請求項１２】
前記コイル部はコモンモードフィルタ（ＣＭＦ）部である、請求項１１に記載の電子部品。
【請求項１３】
前記静電気防止部上に配置された第１保護部と、
前記コイル部上に配置された第２保護部と、をさらに含む、請求項１０から１２のいずれか一項に記載の電子部品。
【発明の詳細な説明】
【技術分野】
【０００１】
本発明は、電子部品に関するものである。
【背景技術】
【０００２】
技術の発展に伴い、電子機器がアナログ方式からデジタル方式に変化し、処理するデータ量の増加によって電子機器に高速インターフェースが適用される傾向にある。上記高速インターフェースとしては、ＵＳＢ  ２．０、ＵＳＢ  ３．０、及び高品位マルチメディアインターフェイス（ｈｉｇｈ−ｄｅｆｉｎｉｔｉｏｎ  ｍｕｌｔｉｍｅｄｉａ  ｉｎｔｅｒｆａｃｅ；ＨＤＭＩ（登録商標））が広く普及している。これらのインターフェースは、現在のスマートフォン、パーソナルコンピュータ、及びデジタル高画質テレビのような様々なデジタル電子機器で使用されている。
【０００３】
これらの高速インターフェースは、長い間一般的に用いられた単一終端（ｓｉｎｇｌｅ−ｅｎｄ）送信システムとは異なり、一対の信号ラインを使用して差動信号（差動モード信号）を送信する差動信号システムを採用する。しかし、デジタル化及び高速化している電子機器は、外部からの刺激に敏感であるため高周波ノイズによる信号の歪みが発生する可能性があり、静電放電（ＥＳＤ：Ｅｌｅｃｔｒｏｓｔａｔｉｃ  Ｄｉｓｃｈａｒｇｅ）などの異常電圧によって回路が破損するおそれもある。
【０００４】
このような高周波ノイズ及び異常電圧が回路に流入することを防止するために、コモンモードフィルタ（Ｃｏｍｍｏｎ  Ｍｏｄｅ  Ｆｉｌｔｅｒ：ＣＭＦ）、バリスタ（Ｖａｒｉｓｔｏｒ）、ダイオード（Ｄｉｏｄｅ）などの静電気防止素子が用いられることができる。最近は、電子機器の部品集積度が高くなり、静電気防止機能を有するコモンモードフィルタが研究されている。
【発明の概要】
【発明が解決しようとする課題】
【０００５】
本発明のいくつかの目的の一つは、静電気防止機能の効率に優れ、信頼性が強化された静電気防止部を有する電子部品を提供することである。
【課題を解決するための手段】
【０００６】
本発明を通して提案するいくつかの解決手段の一つは、すべての信号電極及び接地電極のそれぞれの一部を一度に覆う静電気防止層を導入することである。
【０００７】
例えば、本発明による電子部品は、互いに離れて配置された複数の信号電極と、上記複数の信号電極と離れて配置された接地電極と、上記複数の信号電極のそれぞれの一部及び上記接地電極の一部を覆うように配置された単一の静電気防止層と、を含む静電気防止部を含むことができる。
【０００８】
または、本発明による電子部品は、支持部と、上記支持部の一側に配置され、一つ以上のコイルパターンを含むコイル部と、上記支持部の他側に配置され、互いに離れて配置された複数の信号電極、上記複数の信号電極と離れて配置された接地電極、及び上記複数の信号電極のそれぞれの一部及び上記接地電極の一部を覆うように配置された単一の静電気防止層を含む静電気防止部と、上記複数の信号電極と連結された複数の外部端子、及び上記接地電極と連結された接地端子を含む端子部と、を含むことができる。
【発明の効果】
【０００９】
本発明のいくつかの効果の一効果は、静電気防止特性の効率に優れ、信頼性が強化された静電気防止部を有する電子部品を提供することができることである。
【図面の簡単な説明】
【００１０】
【図１】電子機器に適用された電子部品の例を概略的に示す図面である。
【図２】電子部品の一例を示す概略的な斜視図である。
【図３】図２の電子部品の概略的な分解斜視図である。
【図４】図３の静電気防止部の概略的な平面図である。
【図５】図３の静電気防止部の概略的な平面図である。
【図６】図４及び図５の静電気防止層の概略的な断面図である。
【発明を実施するための形態】
【００１１】
以下では、添付の図面を参照し、本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
電子機器
【００１２】
図１は電子機器に適用された電子部品の一例を概略的に示す図面である。図面を参照すると、電子機器１０００は、ケース１００１、ＵＳＢ入力部１００２、カメラ部１００３などで構成された携帯電話（ｍｏｂｉｌｅ  ｐｈｏｎｅ）であることができる。携帯電話１０００の内部は、マザーボード１０１０、及びマザーボード１０１０に実装または内蔵され、回路パターン１０２０を介して連結される様々な電子部品１０３０、１０４０などで構成されることができる。このとき、電子部品１０３０、１０４０の一部である本発明の電子部品１００は、例えば、コモンモードフィルタとして電子機器１０００のＵＳＢ入力部１００２、カメラ部１００３などに対応する領域に実装されることができる。
【００１３】
一方、図面に例示的に示した携帯電話だけでなく、他の電子機器にも本発明の電子部品がこれと類似に、または異なって適用されることができることはもちろんである。例えば、個人用情報端末（ｐｅｒｓｏｎａｌ  ｄｉｇｉｔａｌ  ａｓｓｉｓｔａｎｔ）、デジタルビデオカメラ（ｄｉｇｉｔａｌ  ｖｉｄｅｏ  ｃａｍｅｒａ）、デジタルスチルカメラ（ｄｉｇｉｔａｌ  ｓｔｉｌｌ  ｃａｍｅｒａ）、ネットワークシステム（ｎｅｔｗｏｒｋ  ｓｙｓｔｅｍ）、コンピュータ（ｃｏｍｐｕｔｅｒ）、モニター（ｍｏｎｉｔｏｒ）、テレビ（ｔｅｌｅｖｉｓｉｏｎ）、ビデオゲーム（ｖｉｄｅｏ  ｇａｍｅ）、スマートウォッチ（ｓｍａｒｔ  ｗａｔｃｈ）、またはこれらの他にも、通常の技術者によく知られている他の様々な電子機器などにも多様な用途で適用されることができる。
電子部品
【００１４】
以下では、本発明の電子部品を説明するにあたり、便宜上コモンモードフィルタを例に挙げて説明するが、これに限定されるものではない。本発明の内容が静電気防止部を有する他の様々な用途の電子部品にも適用できることはもちろんである。
【００１５】
図２は電子部品の一例を示す概略的な斜視図であり、図３は図２の電子部品の概略的な分解斜視図である。
【００１６】
図面を参照すると、一例による電子部品１００は、本体１０１、及び本体上に配置された端子部１４０を含む。本体１０１は、支持部１２０、支持部１２０の一側に配置された静電気防止部１１０、及び支持部１２０の他側に配置されたコイル部１３０を含む。必要に応じて、本体１０１は、静電気防止部１１０上に配置された第１保護部１５０、及びコイル部１３０上に配置された第２保護部１６０をさらに含むことができる。
【００１７】
支持部１２０は、静電気防止部１１０及びコイル部１３０を支持する。支持部１２０は、コイル部１３０で発生する磁束（ｍａｇｎｅｔｉｃ  ｆｌｕｘ）の通路として機能することができる。この場合、磁性物質を含むことができる。支持部１２０に含まれることができる磁性物質としては、磁気特性を有するものであれば特に制限なく用いることができる。例えば、金属磁性体粉末及びフェライトからなる群より選択されたいずれか一つ以上を含むものであってよいが、必ずしもこれに制限されるものではない。
【００１８】
支持部１２０に含まれることができる金属磁性体粉末は、例えば、Ｆｅ、Ｓｉ、Ｃｒ、Ａｌ及びＮｉからなる群より選択されたいずれか一つ以上を含む結晶質または非晶質金属であってよいが、これに限定されるものではない。フェライトは、例えば、Ｆｅ−Ｎｉ−Ｚｎ系フェライト、Ｆｅ−Ｎｉ−Ｚｎ−Ｃｕ系フェライト、Ｍｎ−Ｚｎ系フェライト、Ｎｉ−Ｚｎ系フェライト、Ｚｎ−Ｃｕ系フェライト、Ｎｉ−Ｚｎ−Ｃｕ系フェライト、Ｍｎ−Ｍｇ系フェライト、Ｂａ系フェライト、Ｌｉ系フェライトなどであってよいが、これに限定されるものではない。
【００１９】
静電気防止部１１０は、静電放電（ＥＳＤ）から電子部品１００を保護する役割を担う。例えば、静電気防止部１１０は、普段は絶縁性を有するが、静電気のような高電圧が外部端子１４１、１４２、１４３、１４４を介して信号電極１１１、１１２、１１３、１１４に印加されると電気が流れることができる。このとき、接地電極１１５を介して接地端子１４５、１４６に高電圧を放出することができる。
【００２０】
静電気防止部１１０は、互いに離れて配置された複数の信号電極１１１、１１２、１１３、１１４、複数の信号電極１１１、１１２、１１３、１１４と離れて配置された接地電極１１５、及び複数の信号電極１１１、１１２、１１３、１１４のそれぞれの一部及び接地電極１１５の一部を覆うように配置された単一の静電気防止層１１６を含む。これに対する詳細は後述する。
【００２１】
コイル部１３０は、電子部品１００のコイルから発現される特性を通じて電子機器内の様々な機能を行う役割を担う。コイル部１３０は、一つ以上のコイルパターン１３１、１３２、１３３、１３４を含む。コイル部１３０は、それぞれ実質的に同一平面上に２つのコイルパターン１３１、１３３と１３２、１３４が形成された二重コイルを有する。それぞれのコイルパターン１３１、１３２、１３３、１３４は、平面スパイラル（Ｓｐｉｒａｌ）状のパターンを有する。もちろん、これは一例に過ぎず、例えば、これとは異なってより多層の形態のコイルで実現することもできる。
【００２２】
第１コイルパターン１３１は、第３コイルパターン１３３と実質的に同一平面上に形成される。また、第２コイルパターン１３２は、第４コイルパターン１３４と実質的に同一平面上に形成される。第１コイルパターン１３１は、第１ビアパターン１３５を介して第２コイルパターン１３２と電気的に連結される。その結果、第１直列回路を構成する。第３コイルパターン１３３は、第２ビアパターン１３６を介して第４コイルパターン１３４と電気的に連結される。その結果、第２直列回路を構成する。このとき、第１及び第２直列回路の間に同じ方向の電流が流れると磁束が互いに補強されてコモンモードインピーダンスが高くなってコモンモードノイズは抑え、反対方向の電流が流れると磁束が互いに相殺されてディファレンシャルモードインピーダンスが減少して所望する転送信号を通過させる、コモンモードフィルタとして動作することができる。即ち、一例によるコイル部１３０は、いわゆるコモンモードフィルタ部であることができる。但し、これは、上述のように一例に過ぎず、電子部品１００の機能に応じてコイル部１３０が他の機能を有することもできることはもちろんである。
【００２３】
第１コイルパターン１３１は、第１外部端子１４１と連結される第１引出端子１３１ａを含む。第２コイルパターン１３２は、第２外部端子１４２と連結される第２引出端子１３２ａを含む。第３コイルパターン１３３は、第３外部端子１４３と連結される第３引出端子１３３ａを含む。第４コイルパターン１３４は、第４外部端子１４４と連結される第４引出端子（図示せず）を含む。これにより、コイル部１３０は、端子部１４０と電気的に連結されることができる。
【００２４】
端子部１４０は、電子部品１００を電子機器に電気的に連結させる役割を担う。端子部１４０は、第１〜第４コイルパターン１３１、１３２、１３３、１３４及び第１〜第４信号電極１１１、１１２、１１３、１１４と電気的に連結される第１〜第４外部端子１４１、１４２、１４３、１４４と、接地電極１１５と電気的に連結される第１及び第２接地端子１４５、１４６と、を含む。端子部１４０の外部端子１４１、１４２、１４３、１４４、及び接地端子１４５、１４６は、コイルパターン１３１、１３２、１３３、１３４、信号電極１１１、１１２、１１３、１１４、及び接地電極１１５の数に応じて異なり得ることはもちろんである。外部端子１４１、１４２、１４３、１４４、及び接地端子１４５、１４６は、それぞれおおよそ逆「コ」の形状を有する。但し、これは一例に過ぎず、外部端子１４１、１４２、１４３、１４４、及び接地端子１４５、１４６の形状を異ならせることはもちろんである。
【００２５】
端子部１４０の材料としては、導電性を付与することができる金属であれば特に制限なく用いることができる。例えば、端子部１４０は、金（Ａｕ）、銀（Ａｇ）、白金（Ｐｔ）、銅（Ｃｕ）、ニッケル（Ｎｉ）、パラジウム（Ｐｄ）、及びこれらの合金などからなる群より選択された一つ以上を含むことができるが、これに限定されるものではない。金（Ａｕ）、銀（Ａｇ）、白金（Ｐｔ）、パラジウム（Ｐｄ）は値段が高いが安定するという長所があり、銅（Ｃｕ）、ニッケル（Ｎｉ）は値段が安いが焼結中に酸化して導電性を低下させる可能性があるという短所があるため、適宜選択して用いることができる。
【００２６】
保護部１５０、１６０は、それぞれ静電気防止部１１０及びコイル部１３０を保護する役割を担う。保護部１５０、１６０は、上述のような磁性物質を含むことができる。または、公知の絶縁物質を含むこともできる。絶縁物質としては、エポキシ樹脂のような熱硬化性樹脂、ポリイミドなどの熱可塑性樹脂、またはこれらにガラス繊維や無機フィラーなどの補強材が含浸された樹脂などを用いることができる。
【００２７】
図４及び図５は図３の静電気防止部の概略的な平面図であり、図６は図４及び図５の静電気防止層の概略的な断面図である。
【００２８】
図面を参照すると、一例による静電気防止部１１０は、互いに離れて配置された第１〜第４信号電極１１１、１１２、１１３、１１４、第１〜第４信号電極１１１、１１２、１１３、１１４と離れて配置された接地電極１１５、及び第１〜第４信号電極１１１、１１２、１１３、１１４のそれぞれの一部及び接地電極１１５の一部を覆うように配置された単一の静電気防止層１１６を含む。
【００２９】
一般に、コモンモードフィルタは、その特性上、二つのコイルを有する構造であるが、コイルごとにそれぞれ信号の入力及び出力端子が必要であるため、基本的に４つの入出力端子を有するようになる。ここで、静電放電抑制（ＥＳＤ  Ｓｕｐｐｒｅｓｓｉｏｎ）の機能を有するためには、共通の接地端子が２つ必要である。したがって、これに適用される静電気防止部は、４つの信号電極と、少なくとも１つの接地電極を有し、それぞれの信号電極と接地電極との間を満たす４つの静電気防止層を有するようになる。
【００３０】
静電気防止層は、通常、スクリーン印刷方法で形成する。最近の小型化及び薄型化の傾向によって小さい面積に複数の静電気防止層を形成する場合、印刷アライン（Ａｌｉｇｎ）マージンが少なく、ペーストの抜け不良が発生するようになって、製造工程でロス（Ｌｏｓｓ）が多く生じるようになる。また、複数の静電気防止層を形成するため、印刷工程の完了後の外観検査時間も多くかかる。特に、静電気防止層が適用されたコモンモードフィルタの場合は、信頼性特性が一般の製品よりも重要となる。このように複数の静電気防止層を有する場合、これを覆うカバーシートが接着されることができる領域が非常に狭くなって信頼性が低下する可能性がある。
【００３１】
これに対し、一例による静電気防止部１１０のように、４つの信号電極１１１、１１２、１１３、１１４及び１つの信号電極１１５を有する場合、それぞれの電極ギャップＧ１、Ｇ２、Ｇ３、Ｇ４を満たす静電気防止層１１６を単一の層で構成すると、一回の印刷で工程を完了することができるため、上述した問題をすべて解決することができる。
【００３２】
以下では、静電気防止部１１０を構成するそれぞれの構成についてより詳細に説明する。
【００３３】
第１〜第４信号電極１１１、１１２、１１３、１１４及び接地電極１１５は、公知の導電性物質で形成することができる。例えば、金、銀、白金、銅、ニッケル、パラジウム、チタン、及びこれらの合金などを材料にして、公知のめっき法または印刷法で形成することができる。但し、これに限定されるものではない。第１〜第４信号電極１１１、１１２、１１３、１１４は、上述のように、第１〜第４外部端子１４１、１４２、１４３、１４４と電気的に連結される。接地電極１１５は、上述のように、第１及び第２接地端子１４５、１４６と電気的に連結される。但し、これは一例に過ぎず、これより多くの信号電極を有してもよく、より多くの接地電極を有してもよいことはもちろんである。
【００３４】
静電気防止層１１６も公知の導電性物質で形成することができる。一例において、静電気防止層１１６は、導電性粒子１１６−１及び絶縁物質１１６−２を含むペーストを公知の印刷法、例えば、スクリーン印刷法で印刷する方法で形成することができる。このような印刷後に高温で硬化することができる。この場合、形成された静電気防止層１１６は、導電性粒子１１６−１が絶縁物質１１６−２に分散されたものであってよい。導電性粒子１１６−１は、銅や銀などの公知の導電性金属粉末であってよく、絶縁材料１１６−２は、Ａｌ２Ｏ３、ＴｉＯ２、ＺｎＯ、ポリマー樹脂などであってよいが、これに限定されるものではない。静電気防止層１１６は、普段は不導体として動作し、静電気などの高電圧（ＥＳＤ）が、例えば、第１信号電極１１１を介して印加されると、導電性粒子１１６−１を通じて通電されることができる。これにより、第１信号電極１１１に印加された高電圧（ＥＳＤ）は、接地と連結された接地電極１１５を介して放出されることができる。
【００３５】
第１〜第４信号電極１１１、１１２、１１３、１１４のそれぞれの一部及び接地電極１１５の一部は、静電気防止部１１０の中央領域で互いに隣接するように配置されることができる。このとき、単一の静電気防止層１１６は、このような中央領域に形成され、第１〜第４信号電極１１１、１１２、１１３、１１４のそれぞれの一部及び接地電極１１５の一部を覆うように配置されることができる。このように、静電気防止部１１０の中央領域に形成される場合、空間活用度に優れ、上述した信頼性をより向上させることができる。
【００３６】
静電気防止部１１０の静電気防止層１１６を除いた第１方向へのマージンの長さＬ１、Ｌ２は約１２０〜２２０μｍ程度、例えば、１７０μｍ程度であってよく、第２方向へのマージン幅Ｗ１、Ｗ２は約９０〜１９０μｍ程度、例えば、１４０μｍ程度であってよい。このとき、静電気防止層１１６の第１方向の長さＬ３は約４５０〜５５０μｍ程度、例えば、５１０μｍ程度であってよく、第２方向の幅Ｗ３は約３２０〜４２０μｍ程度、例えば、３７０μｍ程度であってよい。即ち、第１方向へのマージンの長さＬ１、Ｌ２は、第１方向への全体の長さＬに対して１５〜２５％程度、例えば、２０％程度であってよい。また、第２方向へのマージン幅Ｗ１、Ｗ２は、第２方向への全体の幅Ｗに対して１５〜２５％程度、例えば、２１．５％程度であってよい。このように、マージン領域が十分に確保されるため、上述した信頼性をより向上させることができる。
【００３７】
接地電極１１５は、第１及び第２信号電極１１１、１１２の間と第３及び第４信号電極１１３、１１４の間とを横切ることができ、第１及び第３信号電極１１１、１１３の間に突出した第１突出部１１５Ｐａと、第２及び第４信号電極１１２、１１４の間に突出した第２突出部１１５Ｐｂと、を有することができる。このとき、第１及び第３信号電極１１１、１１３の端部は、接地電極１１５の第１突出部１１５Ｐａに向かって曲がった端部１１１Ｐ、１１３Ｐを有することができる。また、第２及び第４信号電極１１２、１１４の端部は、接地電極１１５の第２突出部１１５Ｐｂに向かって曲がった端部１１２Ｐ、１１４Ｐを有することができる。即ち、接地電極１１５と第１〜第４信号電極１１１、１１２、１１３、１１４のそれぞれとの間の電極ギャップＧ１、Ｇ２、Ｇ３、Ｇ４は曲がった形状を有することができる。曲がった形状の電極ギャップＧ１、Ｇ２、Ｇ３、Ｇ４は静電気防止層１１６によって満たされる。このような曲がった形状は、例えば、「¬」の形状であってよい。
【００３８】
一般に、４つの静電気防止層を有する静電気防止部は、ＥＳＤ電極の幅が狭く、ＥＤＳターンオン電圧（Ｔｕｒｎ  Ｏｎ  Ｖｏｌｔａｇｅ）が高い。また、４つの信号電極と１つの接地電極との間の４つの電極ギャップが単純な「−」の形状である。これにより、静電気放電機能をすることができる領域を広げて、ＥＤＳ  Ｓｕｐｐｒｅｓｓｉｏｎの機能を改善させる必要がある。
【００３９】
これに対し、上述のように、突出部１１５Ｐａ、１１５Ｐｂ、１１１Ｐ、１１２Ｐ、１１３Ｐ、１１４Ｐを用いて曲がった形状に実現するとともに、いわゆる「¬」の形状を有するように電極ギャップＧ１、Ｇ２、Ｇ３、Ｇ４を構成する場合、ＥＳＤ電極の幅を広げることでＥＤＳターンオン電圧（Ｔｕｒｎ  Ｏｎ  Ｖｏｌｔａｇｅ）を下げることができ、静電放電機能をすることができる領域を広げることでＥＤＳ  Ｓｕｐｐｒｅｓｓｉｏｎの機能を改善させることができる。
【００４０】
図面には、便宜上１つの電子部品を製造するように示されているが、実際の量産過程では、一つの大きな基板上に複数の電子部品を同時に形成した後、これらを個別に切断する方法で製造することができることはもちろんである。
【００４１】
一方、本発明において「電気的に連結される」というのは、物理的に連結された場合と、連結されていない場合をともに含む概念である。また、第１、第２などの表現は、一つの構成要素を他の構成要素と区分するために用いられるもので、該当する構成要素の順序及び／または重要度などを限定しない。場合によっては、本発明の範囲を外れずに、第１構成要素は第２構成要素と命名されることもでき、類似して第２構成要素は第１構成要素と命名されることもできる。
【００４２】
また、本発明で用いられた「一例」という表現は、互いに同一の実施例を意味せず、それぞれ互いに異なる固有の特徴を強調して説明するために提供されるものである。しかし、上記提示された一例は、他の一例の特徴と結合して実現されることを排除しない。例えば、特定の一例で説明された事項が他の一例で説明されていなくても、他の一例でその事項と反対であるか矛盾する説明がない限り、他の一例に関連する説明であると理解されることができる。
【００４３】
なお、本明細書で用いられた用語は、一例を説明するために用いたものであるだけで、本発明を限定する意図ではない。このとき、単数の表現は文脈上明確に異なる意味でない限り、複数を含む。
【符号の説明】
【００４４】
１０００  電子機器
１００１  ケース
１００２  ＵＳＢ入力部
１００３  カメラ部
１０１０  マザーボード
１０２０  回路パターン
１０３０、１０４０  電子部品
１００  電子部品
１１０  静電気防止部
１２０  支持部
１３０  コイル部
１４０  端子部
１５０、１６０  保護部
１１１、１１２、１１３、１１４  信号電極
１１５  接地電極
１１６  静電気防止層
１３１、１３２、１３３、１３４  コイルパターン
１３５、１３６  ビアパターン
１４１、１４２、１４３、１４４  外部端子
１４５、１４６  接地端子
【図１】
2017168805.tif 000003
【図２】
2017168805.tif 000004
【図３】
2017168805.tif 000005
【図４】
2017168805.tif 000006
【図５】
2017168805.tif 000007
【図６】
2017168805.tif 000008